(57)【特許請求の範囲】
【請求項１】
作業現場で電柱と円弧状電柱根枷及び根枷フック、Ｕ状ボルト、シャベル、基準棒及び締め固め棒などの作業用具を準備する現場準備段階と；
電柱を設置する基準位置に基づいて地下埋設物の確認手続きを経て電柱掘削地点を選定する掘削地選定段階と；
オーガークレーン用拡張型掘削ユニットの幅を８０ｃｍまで拡張させて７５ｃｍの深さまで掘削作業を行う１次掘削段階と；
１次掘削作業後拡張された掘削ユニットの幅を元の状態で復帰して電柱の規格による標準挿入深さ分掘削作業を行う２次掘削段階と；
電柱設置作業の施工手順によって電柱設置作業を行う電柱設置作業段階と；
電柱を設置した状態で１次掘削段階作業時生じた土砂で円弧状電柱根枷の設置方向を定めた後、円弧状電柱根枷埋設空間を確保して土砂の埋め戻しを行い、円弧状電柱根枷を埋設する８０ｃｍの広さと７５ｃｍの深さの円弧状電柱根枷埋設空間部を確保する１次埋め戻し段階と；
電柱根枷に根枷フックを掛け、オーガークレーンを利用して円弧状電柱根枷を取り付ける位置に電柱を移動する根枷運搬段階と；
オーガークレーン及び根枷フックを利用して円弧状電柱根枷を持ち上げた状態で電柱根枷と電柱をＵ状ボルトにより円弧状電柱根枷が埋設位置に下降できる締結力で締めて仮組立するＵ状ボルト締結段階と；
Ｕ状ボルトの仮組立が完了すると円弧状電柱根枷のリ―ド線と電柱の接地線を接続する接地線連結段階と；
円弧状電柱根枷を埋設空間部の底面に密着して載置する根枷載置段階と；
根枷フックを除去して仮組立したＵ状ボルトを堅固に締結して電柱と円弧状電柱根枷を密着して締結する電柱根枷締結段階と；
Ｕ状ボルト螺合により締結が完了すると周辺の土砂で埋め戻しを行い、７５ｃｍの深さに対して３０ｃｍずつ埋め戻しと締め固めを順次に行う２次埋め戻し段階と；
電柱埋設部の周辺を整頓して作業を完了する作業完了段階と；を含むことを特徴とするオーガークレーン用拡張型掘削ユニットを利用した架空線路用円弧状電柱根枷の施工法。
【発明の詳細な説明】
【技術分野】
【０００１】
本発明は、本発明は電柱を立てる地点の掘削工程から根枷埋設と踏み台ボルトの固定及び電柱番号の脱着までの一連の工程を行う架空線路用電柱設置工事に適用できるオーガークレーン用拡張型掘削ユニットを利用した架空線路用円弧状電柱根枷の施工法に関するものである。
【背景技術】
【０００２】
電柱を設置する工事方法としては、人力による施工を含めて、バックホー及びオーガークレーンを利用する機械化工法がある。
【０００３】
このうち、オーガークレーンを利用する電柱設置工事が最も普遍的な施工法であるということができる。この施工法を説明すると、オーガークレーンを利用して挿入深さ分（電柱の長さによって全長の約１／６、最大２．５ｍ）掘削を行い、掘削した溝に電柱を立設する。その後、長方形電柱根枷の設置のために、バックホーまたは人力により長方形の電柱根枷を挿入できるように、さらに掘削して長方形電柱根枷を設置し、溝を埋め戻す工程順で工事を行う。
【０００４】
また、電柱根枷の載置を含んだ電柱設置工事後に、接地工事施工を行う場合があり、その施工過程をより詳細に説明する。
【０００５】
まず、図１Ａに示すように、電柱１００の内側に接地線１０１を入れ込み、その接地線１０１を電柱１００の下段部に引き出した状態で、電柱１００を設置する位置に溝１０２を掘削する。
【０００６】
次に、接地線１０１が溝１０２内に埋め込まれないように地表面に取り出しておいた状態で電柱１００を立設する。この時、接地抵抗基準値と土壌の種類及び現場与件などを考慮して接地極の施工法と掘削方法及び掘削広さと掘削長さなどを決定する。
【０００７】
このような状態で図１Ｂに示すように、鉄ピンを有する接地銅棒１０３を溝１０２に打ち込む。この時、接地銅棒１０３を直列に施工する場合は、一番目の銅棒が掘削した溝１０２の底面まで降りた後、鉄ピンを抜いて接地銅棒１０３を直列に連結する。次に、二番目の接地銅棒の先端に鉄ピンを組み立てた後、さらに打ち込む。
【０００８】
特に、二番目の接地銅棒が掘削底面近くにおりて行くと、接地抵抗を測定する。この時、接地抵抗が規定値以下である場合は、鉄ピンを抜いてリ―ド端子を締めた後、接地銅棒を掘削面まで完全に打ち込む。
接地極の施工法は図１Ｃに示すように、直打法による直列施工が有利である。鉄筋コンクリート電柱の場合は接地銅棒１０３が電柱１００に直接接触しないようにし、鋼管電柱の場合は接地銅棒１０３を１．０ｍ以上離間させて接地する。この時、接地極を並列に施工する場合、接地極間の間隔を現場与件によって適切に調節して施工することが好ましい。
このような状態で接地線１０１と接地銅棒１０３のリ―ド端子を接地スリーブで圧縮して接続した後、溝１０２を埋め戻して締め固めることによって、電柱設置工事を完了する。
【０００９】
しかし、前述のような電柱設置工事において、接地銅棒を利用した接地抵抗の設定方法は接地抵抗基準値と土壌の種類または現場与件などを考慮して作業を実施しなければならない。その他にも、接地極の施工法と掘削方法及び掘削広さや掘削長さなどによって可変的な要素が非常に多く、作業前に広範で多様な検討を必要とする。
【００１０】
特に、測定した接地抵抗が規定値以上である場合は、接地銅棒を連続して並列に設置しなければならない。それによる掘削部の増加により多くの施工時間が必要であり、経済的損失が非常に大きい。
【００１１】
また、前述した施工法で使用する長方形電柱根枷は、その長さが１．２ｍであるため、根枷を埋設するためにオーガークレーンを利用した掘削以外にも、さらに多くの面積を掘削しなければならない。特に、２個の長方形電柱根枷を平行または交差して設置する場合は、電柱が立てられた周辺土壌の大部分をさらに掘削しなければならないのが現実である。
【００１２】
すなわち、オーガークレーンを利用して電柱設置工事を行っても電柱を設置した後には、長方形電柱根枷の埋設のために別のバックホー装備やそれに相当する人力をさらに投入しなければ電柱設置工事を完了することができない。結果的に、電柱設置工事時に複雑な工程により工事量が多すぎ、それによって工事時間も非常に多く所要する問題がある。
【００１３】
これを解決するために本出願人が出願した特許文献１は、別の追加人力及び装備や複雑な追加工程がなくても、拡張型掘削ユニットの拡張と縮小による２段の階段式掘削により追加掘削が不要なオーガークレーン用拡張型掘削ユニットを利用した長方形電柱根枷施工法を開示する。この施工法によれば、掘削工程が容易で埋め戻し作業時に少量の土砂で電柱を固く埋め立てることができ、作業効率が上昇する。
【００１４】
また、前述した施工法に関連して本出願人が出願した特許文献２は電柱または電柱根枷及び支線根枷の埋設孔を機械化掘削するためのオーガークレーン用掘削スクリューを開示する。この特許の掘削スクリューは、その掘削スクリューの上部から伸縮可能な延長ロードを装着し、延長ロード内にはオイル流入及び排出通路を形成し、掘削スクリューの下部には補助掘削刃を有する拡張ユニットを結合する。拡張ユニット内には延長ロードのオイル流入及び排出通路に連通するメーン流路が形成されている。
【００１５】
延長型掘削スクリューの可変する掘削長さに連動して下部拡張ユニットの補助掘削刃にも持続的に油圧が作用するので、油圧により作動する補助掘削刃を有する延長型掘削スクリューを掘削工事の深度によって適切に使用することができる。この油圧式拡張補助掘削刃を有する延長型掘削スクリューによれば、工期が短縮して施工性が大きく向上する。
【００１６】
また、本出願人が出願した特許文献３は電柱設置工事に使用する半円状電柱根枷を開示する。この半円状電柱根枷は配電線路の電柱設置工事と共に接地工事を行う過程で、接地銅棒の機能をする接地板を電柱根枷に付着して一体式とする。特に、電柱根枷の外側面に摩擦増大のための凹溝及びボルト挿入孔を形成し、電柱根枷の外周部は半円状、内周部には円弧状の曲面にした電柱密着面を有する。この半円状電柱根枷は、半円状電柱根枷の下面と同一な形態を有する導伝性金属材の接地板を作った後、電柱根枷の下面に接地板を付着し、接地板の外側面には接地端子を形成して接地板と接地端子を互いに連結して導通するようにする。したがって、接地工事のための別の追加掘削工程なく、電柱根枷装着工程と同時に接地工事を効果的に行って画期的に工程数を減らすことができ、接地表面積の増大により接地効果が高い。
【００１７】
また、本出願人が出願した特許文献４は配電線路の電柱設置工事に使用する電柱根枷を容易に運搬及び設置することができる電柱根枷運搬及び設置用フックを開示する。この特許の運搬及び設置用フックはクレーンのフックに掛けて吊るすための輪と、その輪の下側に位置して電柱根枷の水平を維持する固定具及び電柱根枷に結合して電柱根枷の重さを支える支持具を含む。この特許によれば、電柱根枷に容易に締結する運搬及び設置用フックをクレーンに掛けて電柱根枷を目的とする位置に簡便に運搬及び移動させることができる。それと共に、運搬及び設置用フックと電柱間の干渉が防止され、クレーンにより電柱を近接させた状態で直ちにＵ状ボルトなどの締結手段を利用して電柱を固定することができる。したがって、１名の作業者だけでも速やかに設置することができ、比較的構造が簡単で電柱根枷の効率的な支持と運搬が可能であり、運搬中に電柱根枷が揺れたり、流動することを阻止するので、非常に安全に工事を行うことができる。
【００１８】
一方、本出願人が出願した特許文献５は両隆起部を有する電柱設置工事用Ｃ型電柱根枷を開示する。この特許は電柱を立てて埋設する電柱設置工事時に電柱を固定するために電柱の下段部に埋め込まれる円弧状電柱根枷に関するものである。この円弧状電柱根枷は両端上側に両隆起部がそれぞれ形成され、その根枷の円弧状後側部は小さな外径を有するように小さく形成し、円弧状電柱根枷の中央部を貫通するフック挿入孔と、挿入孔の両側にスリット状のボルト挿入孔を一定間隔をおいて形成することによって、電柱根枷の設置時オーガークレーンの拡張機を利用する機械化施工が可能である。したがって、両隆起部を通じて土壌との接地力が向上し、かつより縮小した後側部を通じて電柱根枷の軽量化を達成することができる。また、フック挿入孔によりクレーンを利用した電柱根枷の移動及び設置作業が容易であり、ボルト挿入孔によりＵ状ボルトを容易に締結できる。
【００１９】
【特許文献１】大韓民国特許出願公開第２００６−０１０３２７３号公報
【特許文献２】大韓民国特許出願公開第２００７−００５１２１１号公報
【特許文献３】大韓民国特許出願公開第２００６−０１１２１００号公報
【特許文献４】大韓民国特許出願公開第２００７−００６９４７７号公報
【特許文献５】大韓民国特許出願公開第２００７−００６９４７８号公報
【発明の開示】
【発明が解決しようとする課題】
【００２０】
本発明は前述のような長方形電柱根枷施工法に着目して円弧状電柱根枷の施工法を提案しようとする。本発明の目的は別の追加人力や複雑な追加工程なく、オーガークレーン拡張型掘削ユニットの拡張と縮小により２段の階段式掘削を実施し、掘削工程を容易に行いながらも、埋め戻し作業時にも少量の土砂で電柱の埋め戻しと円弧状電柱根枷の埋設が可能であるので、作業効率が向上するオーガークレーン用拡張型掘削ユニットを利用した架空線路用円弧状電柱根枷の施工法を提供することにある。
【課題を解決するための手段】
【００２１】
このような目的を達成するための本発明のオーガークレーン用拡張型掘削ユニットを利用した架空線路用円弧状電柱根枷の施工法は、架空線路用電柱と、その電柱の下部に埋設締結される円弧状電柱根枷と、電柱根枷を運搬及び設置するための根枷フックと、電柱及び電柱根枷を結合するためのＵ状ボルトと、電柱及び電柱根枷を移動させるためのオーガークレーン装置と、オーガークレーンに装着して使用する拡張型掘削ユニットを利用して電柱根枷を施工する。
【発明の効果】
【００２２】
本発明のオーガークレーン用拡張型掘削ユニットを利用した架空線路用円弧状電柱根枷の施工法によれば、体系化した作業工程及び段階を順次に行って架空線路用電柱の電柱設置工事を迅速で安定的に行うことができると共に、円弧状電柱根枷を堅固に設置することができ、接地機能を有する円弧状電柱根枷を利用して接地工事を容易に行う。また、伸縮可能な拡張型掘削ユニットを利用し別の追加人力や装備の投入による追加掘削工程なく、便利で速やかに埋設孔の掘削を行うので、工期の短縮はもちろん工事費用の節減、作業場の環境改善、施工品質の向上などを期待することができる。
【発明を実施するための最良の形態】
【００２３】
以下、本発明の好ましい実施形態に係る施工法を各工程別に詳細に説明する。
図２Ａは現場準備段階を示す斜視図である。電柱設置工事を施行しようとする目的地に到着した後、電柱設置工事のための作業用具、例えば電柱１０、円弧状電柱根枷２０、根枷フック３０、及びＵ状ボルト４０などを準備する。この時、前述した作業用具と共に掘削装備のオーガークレーン５０と掘削ユニット６０を同伴しなければならない。
【００２４】
このような状態で、設計基準に基づいて電柱掘削地点を選定する。このような掘削地点の選定過程で地下埋設物の有無を確認する作業を必ず同伴して行わなければならない。
【００２５】
図２Ｂは１次掘削段階を示す断面図である。まず掘削ユニット６０を拡張して掘削直径が８０ｃｍになるように調整した状態で、オーガークレーン５０と掘削ユニット６０を利用して７５ｃｍの深さまで１次掘削作業を行う。この時、寸法７５ｃｍの掘削深さは電柱の下段に締結する円弧状電柱根枷２０の埋設深さに相当する。
【００２６】
図２Ｃは２次掘削段階を示す断面図である。拡張した掘削ユニット６０を利用して８０ｃｍの広さと７５ｃｍの深さの掘削部が形成されると、拡張状態の掘削ユニット６０を元の基本形態に復帰させた後、電柱の規格によって標準挿入深さ分２次掘削作業を行う。
【００２７】
この時、２次掘削作業時発生する土砂は円弧状電柱根枷の埋設位置で生じるが、この土砂は２次掘削部の埋め戻し用に使用するので、別途に整頓作業を行う必要はない。このような２次掘削孔が形成されると、電柱設置作業の施工手順によって電柱を立設するための電柱設置作業を行う。
【００２８】
図２Ｄは電柱設置作業した２次掘削部の埋め戻し作業及び円弧状電柱根枷の埋設空間部を確保する過程を示す断面図である。電柱１０を立てて埋め戻しを行う場合、円弧状電柱根枷の設置方向を定めた後、拡張機によって掘削した土砂で円弧状電柱根枷の埋設空間部を確保しながら埋め戻しを行う。
【００２９】
すなわち、埋め戻しを行い過程で、根枷を埋設する８０ｃｍの広さと７５ｃｍの深さの埋設空間部を確保しながら１次埋め戻しを行う。埋設直後より一層効果的な接地抵抗値を得るために微細土を利用して円弧状電柱根枷の埋設底面をならしながら締め固めることが好ましい。この時、接地線１１は電柱１０の下段部に引き出す。
【００３０】
図２Ｅは設置した電柱に円弧状電柱根枷を仮組立する過程を示す断面図である。別途に準備した円弧状電柱根枷２０に根枷フック３０を掛けた状態で、オーガークレーン５０を利用して円弧状電柱根枷２０を取り付ける位置に移動させる。
【００３１】
このような状態で根枷フック３０を利用して円弧状電柱根枷２０を持ち上げた状態でＵ状ボルト４０を利用して電柱１０と円弧状電柱根枷２０を仮組立する。この時、Ｕ状ボルト４０による仮組立は円弧状電柱根枷２０が電柱１０から埋設位置に容易に下降できる程度の締結力で締めることが好ましい。
【００３２】
図２Ｆは接地線接続及び円弧状電柱根枷の配置状態を示す断面図である。オーガークレーン５０により円弧状電柱根枷２０を持ち上げた状態で、円弧状電柱根枷２０から引出されるリ―ド線２１と電柱１０から引出された接地線１１を互いに接続した後、オーガークレーン５０のワイヤーを下降させて円弧状電柱根枷２０を埋設空間部におりて載置する。このような状態で根枷フック３０を除去して仮組立状態のＵ状ボルト４０を堅固に締結して電柱１０と円弧状電柱根枷２０を密着させて締結する。
【００３３】
図２Ｇは２次埋め戻し段階を示す断面図である。前述したように、円弧状電柱根枷２０が電柱１０に堅固に締結された状態で周辺の土を利用して根枷埋設空間部の埋め戻し作業を行う。
【００３４】
この時、根枷埋設空間部を一時に埋め戻すのではなく、全体７５ｃｍの深さに対して３０ｃｍずつ埋め戻しと締め固めを順次に行って地盤を堅固にすることが好ましい。このように２次埋め戻し作業が完了すると、周辺を整頓して電柱設置工事を完了する。
【産業上の利用可能性】
【００３５】
本発明によれば、体系化した作業工程及び段階を順次に行って架空線路用電柱の電柱設置工事を迅速で安定的に行うことができると共に、円弧状電柱根枷を堅固に設置することができ、接地機能を有する円弧状電柱根枷を利用して接地工事を容易に行う。また、伸縮可能な拡張型掘削ユニットを利用し別の追加人力や装備の投入による追加掘削工程なく、便利で速やかに埋設孔の掘削を行うので、工期の短縮はもちろん工事費用の節減、作業場の環境改善、施工品質の向上などを期待することができる。従って、本発明の産業利用性はきわめて高いものといえる。
【００３６】
一方、本明細書内で本発明をいくつかの好ましい実施形態によって記述したが、当業者ならば、添付の特許請求範囲に開示した本発明の範疇及び思想から外れずに、多くの変形及び修正がなされ得ることがわかるはずである。
【図面の簡単な説明】
【００３７】
【図１Ａ】従来技術による電柱設置工事を工程別に説明する図面であって、掘削孔に電柱を設置する過程を示す模式図である。
【図１Ｂ】従来技術による電柱設置工事を工程別に説明する図面であって、掘削部に接地銅棒を設置する過程を示す模式図である。
【図１Ｃ】従来技術による電柱設置工事を工程別に説明する図面であって、接地銅棒による接地を含んで電柱設置工事を完了した状態を示す模式図である。
【図２Ａ】本発明に係る電柱設置工事の施工法を工程別に説明する図面であって、図２Ａは作業準備段階の作業用具を示す斜視図であり、
【図２Ｂ】本発明に係る電柱設置工事の施工法を工程別に説明する図面であって、拡張した掘削ユニットを利用した１次掘削工程を示す断面図である。
【図２Ｃ】本発明に係る電柱設置工事の施工法を工程別に説明する図面であって、元の状態に復帰した掘削ユニットを利用した２次掘削工程を示す断面図である。
【図２Ｄ】本発明に係る電柱設置工事の施工法を工程別に説明する図面であって、２次掘削孔に電柱を立てる工程を示す断面図である。
【図２Ｅ】本発明に係る電柱設置工事の施工法を工程別に説明する図面であって、架設した電柱に円弧状電柱根枷を仮組立した状態を示す断面図である。
【図２Ｆ】本発明に係る電柱設置工事の施工法を工程別に説明する図面であって、円弧状電柱根枷を埋設空間部に配置して電柱に締結した状態を示す断面図である。
【図２Ｇ】本発明に係る電柱設置工事の施工法を工程別に説明する図面であって、全体電柱設置工事が完了した状態を示す断面図である。
【符号の説明】
【００３８】
１０    電柱
１１    接地線
２０    円弧状電柱根枷
２１    リ―ド線
３０    根枷フック
４０    Ｕ状ボルト
５０    オーガークレーン
６０    掘削ユニット
【図１Ａ】
0004814269.tif 000002
【図１Ｂ】
0004814269.tif 000003
【図１Ｃ】
0004814269.tif 000004
【図２Ａ】
0004814269.tif 000005
【図２Ｂ】
0004814269.tif 000006
【図２Ｃ】
0004814269.tif 000007
【図２Ｄ】
0004814269.tif 000008
【図２Ｅ】
0004814269.tif 000009
【図２Ｆ】
0004814269.tif 000010
【図２Ｇ】
0004814269.tif 000011